(57)【要約】      （修正有）【課題】高さを低減させることができるロータイプリフトアップベッドフレーム構造を提供する。【解決手段】台座、第一支持部と第二支持部を備える。台座は、上面、底面及び少なくとも一つの側面が囲んでなるフレーム体であり、第一支持部は、台座に設けられ、第一フレームを備え、第一フレームは第一回転軸に対応し、台座に対する角変位が行われる。第一支持部に隣接し、台座に設けられる第二支持部は少なくとも一つの第二フレームを備えてなり、第二フレームは第二回転軸に対応し、台座に対する角変位が行われる。第一回転軸と第二回転軸は、台座の上面に設けられている。【選択図】図１
0003166517.tif 000002
【実用新案登録請求の範囲】
【請求項１】
少なくとも台座、第一支持部、及び第二支持部を含むロータイプリフトアップベッドフレーム構造であって、
前記台座は、上面、底面、及び少なくとも一つの側面に囲まれるフレーム体であり、
前記第一支持部は該台座に設けられ、少なくとも一つの第一フレームを備え、該第一フレームは、第一回転軸に対応し、該台座に対する角変位が可能であり、
前記第二支持部は該第一支持部に隣接し、該台座に設けられ、少なくとも、第二フレームを備えてなり、該第二フレームは、第二回転軸に対応し、該台座に対する角変位が可能であり、
該第一回転軸と該第二回転軸は、該台座の該底面に設けられていないことを特徴とするロータイプリフトアップベッドフレーム構造。
【請求項２】
該第一回転軸と該第二回転軸は、該台座の該上面に設けられることを特徴とする請求項１に記載のロータイプリフトアップベッドフレーム構造。
【請求項３】
該第一支持部は第一棒材、第一ブリッジと第一伸縮ユニットを更に備え、
該第一棒材は、両側がそれぞれ該ベッドフレームの対向した両側に設けられ、そして該第一回転軸を備えており、
該第一フレームの片側は、該第一棒材に設けられ、
該第一ブリッジの片側は、該第一フレーム上に連結されており、
該第一伸縮ユニットは、制御ユニットに連結され、その片側は該台座に連結され、他方側は該第一ブリッジの他方側に連結され、該制御ユニットは、該第一伸縮ユニットを往復移動可能に制御し、該第一ブリッジを連動させ、該第一フレームにおける第一位置と第二位置との間に、角変位を行わせるように駆動することを特徴とする請求項１または２に記載のロータイプリフトアップベッドフレーム構造。
【請求項４】
該第二支持部は第二棒材、第二ブリッジと第二伸縮ユニットを更に備え、
該第二棒材は、両側がそれぞれ該ベッドフレームの対向した両側に設けられ、そして、該第二回転軸を備えており、
該第二フレームの片側は、該第二棒材に設けられ、
該第二ブリッジの片側は、該第二フレーム上に連結されており、
該第二伸縮ユニットは、制御ユニットに連結され、その片側は該台座に連結され、他方側は該第二ブリッジの他方側に連結され、該制御ユニットは、該第二伸縮ユニットの往復移動を行わせて、該第二ブリッジを連動させ、該第二フレームにおける第三位置と第四位置との間に角変位を行わせるように駆動することを特徴とする請求項１または２に記載のロータイプリフトアップベッドフレーム構造。
【請求項５】
該第一ブリッジは、Ｌ形体に設けられていることを特徴とする請求項３に記載のロータイプリフトアップベッドフレーム構造。
【請求項６】
該第二ブリッジは、Ｌ形体に設けられていることを特徴とする請求項４に記載のロータイプリフトアップベッドフレーム構造。
【請求項７】
第三支持部を更に備え、前記第二フレームの他方側の両側はそれぞれ該第三支持部に接続し、該第三支持部は、第三棒材と第四棒材を備えてなり、
該第三棒材の片側は該第二フレームに、該第三棒材の他方側は該第四棒材の片側に、該第四棒材の他方側は該台座に連結され、該第二フレームが駆動され、リフトアップしたとき、続いて該第三支持部が連動され、該第三棒材と該第二フレームとの間にアングル、該第四棒材は該台座に対する仰角が設けられることを特徴とする請求項１〜６いずれかに記載のロータイプリフトアップベッドフレーム構造。
【考案の詳細な説明】
【技術分野】
【０００１】
本考案は、ベッド構造に関わり、特に、ユーザがベッドに座る姿勢、寝姿勢を調整するためのロータイプリフトアップベッドフレーム構造に関する。
【背景技術】
【０００２】
従来、ユーザの座る姿勢・寝姿勢を調整できるリフトアップベッド、例えば、家庭用ベッドや病床は、台座、ベッドマット、第一リフトアップ装置と第二リフトアップ装置を備えてなり、該ベッドマットは該台座の上に、該第一、二リフトアップ装置は該台座にあるが、該台座と該ベッドマットの間に設けられており、該第一、二リフトアップ装置はまた、制御ユニット、例えば電気スイッチに接続し、それにより、それぞれ該ベッドマットのプリセット部分を曲げたり、リフトするように設けられることで、ユーザが横になったところから、もたれた姿勢または座った姿勢になるが、そうすると、ユーザが読書や食事などを簡単に行えるようになる。
【０００３】
該第一、二リフトアップ装置はそれぞれ少なくとも支持フレーム、ブリッジと駆動ユニットなどを備えてなり、該支持フレームは該ブリッジに接続し、そして回転軸に対応し、該台座に設けられるが、該駆動ユニットは、該ブリッジを駆動して、該支持フレームの上昇または下降と連動するようになっている。
【０００４】
一般的に言えば、該第一、二リフトアップ装置は部品が複雑で、余計な材料コスト、重さがかかるほかに、該回転軸は通常、該台座の底面に設けられているという空間構造をなすため、該台座の高さ（厚さ）は、一般のベッドマットの高さ（厚さ）より大きいということで、従来のリフトアップベッドは、見た目が悪く、スペースが必要であった。
【考案の概要】
【考案が解決しようとする課題】
【０００５】
本考案は、材料のコストと重さを低減させるためのロータイプリフトアップベッドフレーム構造を提供することを主な目的とする。
【０００６】
本考案は、ベッドマットを置いたあとの高さ（厚さ）全体が従来の一般に用いられるベッドマットの高さ（厚さ）に相当するためのロータイプリフトアップベッドフレーム構造を提供することを次の目的とする。
【課題を解決するための手段】
【０００７】
前述の目的を達成させるため、本考案は少なくとも、台座、第一支持部と第二支持部を備えてなり、該台座は上面、底面及び少なくとも一つの側面が囲んでなるフレーム体であり、該第一支持部は、該台座に設けられ、少なくとも一つの第一フレームを備えてなり、該第一フレームは第一回転軸に対応し、該台座に対する角変位が可能であり、前記第二支持部は該第一支持部に隣接し、該台座に設けられる第二支持部は少なくとも一つの第二フレームを備えてなり、該第二フレームは第二回転軸に対応し、該台座に対する角変位が可能であり、該第一回転軸と該第二回転軸は、該台座の該上面に設けられていることを特徴とするロータイプリフトアップベッドフレーム構造を提供する。
【図面の簡単な説明】
【０００８】
【図１】本考案の好適な実施例の立体イメージである。
【図２】本考案の好適な実施例における第一フレームと第二フレームがリフトアップされないときの正面イメージである。
【図３】本考案の好適な実施例における該第一フレームと該第二フレームがリフトアップしたときの正面イメージである。
【考案を実施するための形態】
【０００９】
以下、本考案の好適な実施例を挙げ、図面を参照しながら次のように詳しく説明する。
図１、図２と図３に示すように、本考案は少なくとも、台座（１２）、第一支持部（１４）と第二支持部（１６）を備えてなるロータイプリフトアップベッドフレーム構造である。
【００１０】
該台座（１２）は、上面（２２）、底面（２４）、及び少なくとも一つの側面（２６）が囲んでなるフレーム体である。
【００１１】
該第一支持部（１４）該台座（１２）に設けられ、少なくとも一つの第一フレーム（４２）を備えてなり、該第一フレーム（４２）は、第一回転軸（Ｓ１）に対応し、該台座（１２）に対する角変位が行われるが、該第一回転軸（Ｓ１）は、該台座（１２）の該底面（２４）に設けられていないものとし、本考案に掲示した実施例の該第一回転軸（Ｓ１）は、該台座（１２）の該上面（２２）に設けられている。
【００１２】
該第一支持部（１４）は第一棒材（４４）、第一ブリッジ（４６）と第一伸縮ユニット（４８）を更に備えている。
【００１３】
該第一棒材（４４）は、両側がそれぞれ台座（１２）の対向した両側に設けられ、そして、該第一回転軸（Ｓ１）を備えている。
【００１４】
該第一フレーム（４２）の片側は、該第一棒材（４４）に設けられている。
【００１５】
該第一ブリッジ（４６）の片側は、該第一フレーム（４２）の適当な部位に接続している。
【００１６】
該第一伸縮ユニット（４８）は、制御ユニット（未図示）、例えば電気スイッチに連結され、その片側は該台座（１２）に、他方側は該第一ブリッジ（４６）の他方側に連結され、該制御ユニットは、該第一伸縮ユニット（４８）の往復移動を行わせて、該第一ブリッジ（４６）を連動させ、該第一フレーム（４２）における第一位置（該第一伸縮ユニット（４８）の最小長さ）及び第二位置（該第一伸縮ユニット（４８）が最大長さに伸ばされる）との間に角変位を行わせるように駆動し、該制御ユニットは、該第一伸縮ユニット（４８）の最大長さまたは最小長さになったとき、該制御ユニットが駆動力を自動的に切断し、例えば電力を切断するように設けられる。
【００１７】
該第一支持部（１４）に隣接し、該台座（１２）に設けられる該第二支持部（１６）は少なくとも、第二フレーム（６２）を備えてなり、該第二フレーム（６２）は第二回転軸（Ｓ２）に対して、該台座（１２）に対する角変位が可能であり、該第二回転軸（Ｓ２）は、該台座（１２）の該底面（２４）に設けられていないものとし、本考案に掲示した実施例の該第二回転軸（Ｓ２）は、該台座（１２）の該上面（２２）に設けられている。
【００１８】
該第二支持部（１６）は、第二棒材（６４）、第二ブリッジ（６６）と第二伸縮ユニット（６８）を更に備えている。
【００１９】
該第二棒材（６４）は、両側がそれぞれ台座（１２）の対向した両側に設けられ、そして、該第二回転軸（Ｓ２）を備えている。
【００２０】
該第二フレーム（６２）の片側は、該第二棒材（６４）に設けられている。
【００２１】
該第二ブリッジ（６６）の片側は、該第二フレーム（６２）の適当な部位に接続している。
【００２２】
該第二伸縮ユニット（６８）は、制御ユニット（未図示）、例えば電気スイッチに連結され、その片側は該台座（１２）に、他方側は該第二ブリッジ（６６）の他方側に連結され、該制御ユニットは、該第二伸縮ユニット（６８）の往復移動を行わせて、該第二ブリッジ（６６）を連動させ、該第二フレーム（６２）における第三位置（該第二伸縮ユニット（６８）の最小長さ）及び第四位置（該第二伸縮ユニット（６８）が最大長さに伸ばされる）との間に角変位を行わせるように駆動するが、在該制御ユニットは、該第二伸縮ユニット（６８）が最大長さまたは最小長さになったとき、該控制部は、駆動力を自動的に切断、例えば電力を切断するように設けられる。
【００２３】
本考案に関するロータイプリフトアップベッドフレーム構造において、該第一ブリッジ（４６）はＬ形体に設けられている。
【００２４】
本考案に関するロータイプリフトアップベッドフレーム構造において、該第二ブリッジ（６６）はＬ形体に設けられている。
【００２５】
図１、図２と図３に示すように、本考案に掲示したロータイプリフトアップベッドフレーム構造では更に、該第二フレーム（６２）の他方側の両側はそれぞれ、第三支持部（１８）に連結され、該第三支持部（１８）は、第三棒材（８２）と第四棒材（８４）を備えてなり、該第三棒材（８２）の片側は該第二フレーム（６２）に、該第三棒材（８２）の他方側は該第四棒材（８４）の片側に、該第四棒材（８４）の他方側は該台座（１２）に連結され、該第二フレーム（６２）が駆動され、リフトアップしたとき、続いて該第三支持部（１８）が連動され、該第三棒材（８２）と該第二フレーム（６２）との間に仰角のアングル、該第四棒材（８４）は該台座（１２）に対する仰角が設けられる。
【００２６】
本考案に関するロータイプリフトアップベッドフレーム構造において、該第一フレーム（４２）は人体の上半身を、該第二フレーム（６２）と該第三支持部（１８）は、人体の下半身を支えるように設けられている。
【００２７】
本考案に関するロータイプリフトアップベッドフレーム構造において、該第一回転軸（Ｓ１）と該第二回転軸（Ｓ２）は、該台座（１２）の該底面（２４）に設けられていないものとし、特に該第一回転軸（Ｓ１）と該第二回転軸（Ｓ２）は、該台座（１２）の該上面（２２）に設けられるが、ユニット全体の空間構造配置として、該台座（１２）（フレーム体）の高さ（厚さ）を減少させ、該台座（１２）（フレーム体）の体積と重さを低減させることができる。
【符号の説明】
【００２８】
１２  台座
１４  第一支持部
１６  第二支持部
２２  上面
２４  底面
２６  側面
４２  第一フレーム
Ｓ１  第一回転軸
４４  第一棒材
４６  第一ブリッジ
４８  第一伸縮ユニット
６２  第二フレーム
Ｓ２  第二回転軸
６４  第二棒材
６６  第二ブリッジ
６８  第二伸縮ユニット
１８  第三支持部
８２  第三棒材
８４  第四棒材
【図１】
0003166517.tif 000003
【図２】
0003166517.tif 000004
【図３】
0003166517.tif 000005